(57)【要約】      （修正有）【課題】車両が走行している道路を判定する処理を低負荷で行うことができる車載器、走行道路判定システム、走行道路判定方法、及びプログラムを提供する。【解決手段】車載器１０は、外部から受信した信号に基づいて、走行する車両が所定のイベントポイントを含む検出範囲に位置しているか否かを判定する車両位置判定部１３１と、前記車両が前記検出範囲に位置していると判定された場合、前記車両に搭載されたカメラ１１によって撮影された走行道路画像を取得する画像取得部１３２と、前記検出範囲に含まれる道路から撮影された参照画像と、前記走行道路画像とに基づいて、前記車両が走行している道路を判定する走行道路判定部１３４と、を備える。【選択図】図２
2018100893.tif 000002
【特許請求の範囲】
【請求項１】
外部から受信した信号に基づいて、走行する車両が所定のイベントポイントを含む検出範囲に位置しているか否かを判定する車両位置判定部と、
前記車両が前記検出範囲に位置していると判定された場合、前記車両に搭載されたカメラによって撮影された走行道路画像を取得する画像取得部と、
前記検出範囲に含まれる道路から撮影された参照画像と、前記走行道路画像とに基づいて、前記車両が走行している道路を判定する走行道路判定部と、
を備える車載器。
【請求項２】
前記検出範囲別に複数の参照画像を記憶する参照画像記憶部を更に備え、
前記走行道路判定部は、前記検出範囲の周辺環境に応じて、複数の前記参照画像のうち少なくとも一つの参照画像を抽出し、抽出した参照画像と、前記走行道路画像とに基づいて、前記車両が走行している道路を判定する、
請求項１に記載の車載器。
【請求項３】
衛星からの信号を受信する衛星信号受信部を更に備え、
前記車両位置判定部は、前記衛星からの信号に基づいて、前記車両が前記検出範囲に位置しているか否かを判定する、
請求項１又は２に記載の車載器。
【請求項４】
外部から受信した信号に基づいて、走行する車両が所定のイベントポイントを含む検出範囲に位置しているか否かを判定する車両位置判定部と、
前記車両が前記検出範囲に位置していると判定された場合、前記車両に搭載されたカメラによって撮影された走行道路画像を取得する画像取得部と、
前記検出範囲に含まれる道路から撮影された参照画像と、前記走行道路画像とに基づいて、前記車両が走行している道路を判定する走行道路判定部と、
を備える走行道路判定システム。
【請求項５】
前記カメラによって撮影される前記走行道路画像の撮影領域に収まるように設けられたマークを更に備える、
請求項４に記載の走行道路判定システム。
【請求項６】
外部から受信した信号に基づいて、走行する車両が所定のイベントポイントを含む検出範囲に位置しているか否かを判定する車両位置判定ステップと、
前記車両が前記検出範囲に位置していると判定された場合、前記車両に搭載されたカメラによって撮影された走行道路画像を取得する画像取得ステップと、
前記検出範囲に含まれる道路から撮影された参照画像と、前記走行道路画像とに基づいて、前記車両が走行している道路を判定する走行道路判定ステップと、
を有する走行道路判定方法。
【請求項７】
車載器のコンピュータを、
外部から受信した信号に基づいて、走行する車両が所定のイベントポイントを含む検出範囲に位置しているか否かを判定する車両位置判定部、
前記車両が前記検出範囲に位置していると判定された場合、前記車両に搭載されたカメラによって撮影された走行道路画像を取得する画像取得部、
前記検出範囲に含まれる道路から撮影された参照画像と、前記走行道路画像とに基づいて、前記車両が走行している道路を判定する走行道路判定部、
として機能させるプログラム。
【発明の詳細な説明】
【技術分野】
【０００１】
本発明は、車載器、走行道路判定システム、走行道路判定方法、及びプログラムに関する。
【背景技術】
【０００２】
有料道路、有料エリアを走行する車両に対して通行料金を課金する際に、サーバにおいて車両別の走行地点情報を収集して車両が走行した経路を特定し、経路に応じた通行料金を車両に課金するシステムが検討されている。このようなシステムでは、正しく課金を行うために、例えば分岐、複数の道路が隣接している等の場所であっても、車両がどの道路を走行しているかを正確に特定する技術が求められている。
例えば、特許文献１には、車両からの風景を撮影した撮影画像と、撮影位置及び撮影方位の情報を含む参照画像とマッチングを行うことにより、車両の走行位置を検出する位置検出システムが記載されている。
【先行技術文献】
【特許文献】
【０００３】
【特許文献１】特開２０１１−２１５０５２号公報
【発明の概要】
【発明が解決しようとする課題】
【０００４】
しかしながら、上述の位置検出システムでは、全ての道路において車両の走行位置を検出するために予め多数の参照画像を用意する必要があるので、システムを構築するためのコストが大きくなる。
また、車両の走行中に逐次、撮影画像を取得するとともに、撮影画像と参照画像とのマッチング処理を行う必要がある。このため、このような位置検出システムでは、車両の位置を決定するための処理量が膨大となり、車載器の処理速度が低下する可能性がある。
【０００５】
本発明は、このような課題に鑑みてなされたものあって、車両が走行している道路を判定する処理を低負荷で行うことができる車載器、走行道路判定システム、走行道路判定方法、及びプログラムを提供する。
【課題を解決するための手段】
【０００６】
上記課題を解決するため、本発明は以下の手段を採用している。
本発明の第一の態様によれば、車載器は、外部から受信した信号に基づいて、走行する車両が所定のイベントポイントを含む検出範囲に位置しているか否かを判定する車両位置判定部（１３１）と、前記車両が前記検出範囲に位置していると判定された場合、前記車両に搭載されたカメラ（１１）によって撮影された走行道路画像を取得する画像取得部（１３２）と、前記検出範囲に含まれる道路から撮影された参照画像と、前記走行道路画像とに基づいて、前記車両が走行している道路を判定する走行道路判定部（１３４）と、を備える。
このようにすることで、車載器は、分岐、複数の道路が隣接している地点等にイベントポイントを設定することにより、車両が当該イベントポイントを含む検出範囲において、どの道路を走行しているかを、走行道路画像と参照画像とに基づいて判定することができる。また、走行道路判定部は、検出範囲においてのみ走行道路画像と参照画像とに基づく判定を行うため、走行道路を判定する処理に要する負荷を低減することができる。
【０００７】
本発明の第二の態様によれば、上述の態様に係る車載器は、前記検出範囲別に複数の参照画像を記憶する参照画像記憶部（１４０）を更に備え、前記走行道路判定部は、前記検出範囲の周辺環境に応じて、複数の前記参照画像のうち少なくとも一つの参照画像を抽出し、抽出した参照画像と、前記走行道路画像とに基づいて、前記車両が走行している道路を判定する。
このようにすることで、走行道路判定部は、例えば日時、天候等の周辺環境に応じて検出範囲内における道路から見える風景が変化する場合であっても、複数の参照画像のうち、周辺環境に近い環境下で撮影された参照画像に基づいて、走行道路を判定することができる。これにより、走行道路判定部が走行道路を判定する処理の精度を向上させることができる。
【０００８】
本発明の第三の態様によれば、上述の何れか一の態様に係る車載器は、衛星からの信号を受信する衛星信号受信部（１１０）を更に備え、前記車両位置判定部は、前記衛星からの信号に基づいて、前記車両が前記検出範囲に位置しているか否かを判定する。
このようにすることで、車両位置判定部は、周期的に取得する衛星からの信号に基づいて、車両が検出範囲に位置しているか否かを常に高い精度で判定することができる。
【０００９】
本発明の第四の態様によれば、走行道路判定システムは、外部から受信した信号に基づいて、走行する車両が所定のイベントポイントを含む検出範囲に位置しているか否かを判定する車両位置判定部と、前記車両が前記検出範囲に位置していると判定された場合、前記車両に搭載されたカメラによって撮影された走行道路画像を取得する画像取得部と、前記検出範囲に含まれる道路から撮影された参照画像と、前記走行道路画像とに基づいて、前記車両が走行している道路を判定する走行道路判定部と、を備える。
このようにすることで、車載器は、分岐、複数の道路が隣接している地点等にイベントポイントを設定することにより、車両が当該イベントポイントを含む検出範囲において、どの道路を走行しているかを、走行道路画像と参照画像とに基づいて判定することができる。また、走行道路判定部は、検出範囲においてのみ走行道路画像と参照画像とに基づく判定を行うため、走行道路を判定する処理に要する負荷を低減することができる。
【００１０】
本発明の第五の態様によれば、上述の態様に係る走行道路判定システムは、前記カメラによって撮影される前記走行道路画像の撮影領域に収まるように設けられたマーク（２２０）を更に備える。
このようにすることで、走行道路画像に目印となるマークが含まれるので、走行道路判定部により車両がどの道路を走行しているか判定する精度を向上させることができる。
【００１１】
本発明の第六の態様によれば、走行道路判定方法は、外部から受信した信号に基づいて、走行する車両が所定のイベントポイントを含む検出範囲に位置しているか否かを判定する車両位置判定ステップと、前記車両が前記検出範囲に位置していると判定された場合、前記車両に搭載されたカメラによって撮影された走行道路画像を取得する画像取得ステップと、前記検出範囲に含まれる道路から撮影された参照画像と、前記走行道路画像とに基づいて、前記車両が走行している道路を判定する走行道路判定ステップと、を有する。
【００１２】
本発明の第七の態様によれば、プログラムは、車載器のコンピュータを、外部から受信した信号に基づいて、走行する車両が所定のイベントポイントを含む検出範囲に位置しているか否かを判定する車両位置判定部、前記車両が前記検出範囲に位置していると判定された場合、前記車両に搭載されたカメラによって撮影された走行道路画像を取得する画像取得部、前記検出範囲に含まれる道路から撮影された参照画像と、前記走行道路画像とに基づいて、前記車両が走行している道路を判定する走行道路判定部、として機能させる。
【発明の効果】
【００１３】
本発明に係る車載器、走行道路判定システム、走行道路判定方法、及びプログラムによれば、車両が走行している道路を判定する処理を低負荷で行うことができる。
【図面の簡単な説明】
【００１４】
【図１】本発明の一実施形態に係る走行道路判定システムの概略図である。
【図２】本発明の一実施形態に係る走行道路判定システムの機能構成を示す図である。
【図３】本発明の一実施形態に係る走行道路画像の例を示す図である。
【図４】本発明の一実施形態に係る車載器の処理フローを示す図である。
【図５】本発明の一実施形態に係る車載器のハードウェア構成を示す図である。
【発明を実施するための形態】
【００１５】
以下、本発明の一実施形態に係る走行道路判定システム１について、図１〜図５を参照しながら説明する。
【００１６】
（全体構成）
図１は、本発明の一実施形態に係る走行道路判定システムの概略図である。
図１に示すように、本実施形態に係る走行道路判定システム１は、車載器１０と、路側装置２０と、を備えている。
【００１７】
車載器１０は、車両Ａに搭載され、車両Ａが走行している道路（以下、走行道路）を判定するための装置である。車載器１０の詳細については後述する。
【００１８】
路側装置２０は、所定のイベントポイントに設置され、車載器１０が車両Ａの走行道路を判定するための支援を行う装置である。路側装置２０の詳細については後述する。
イベントポイントとは、車載器１０が車両Ａの走行道路を判定する地点を示す。例えば、イベントポイントは、トンネルの前後、分岐、一般道路と並走している有料道路上の地点等、車載器１０が走行道路を誤認識し易い地点に設定される。また、イベントポイントは、車両Ａがどの地点から有料道路に進入し、どの地点から有料道路を退出したかを特定するために、有料道路の出入り口等に設定される。
【００１９】
（車載器の機能構成）
図２は、本発明の一実施形態に係る走行道路判定システムの機能構成を示す図である。
図２に示すように、車載器１０は、衛星信号受信部１１０と、無線通信部１２０と、ＣＰＵ１３０と、参照画像記憶部１４０と、検出範囲記憶部１５０と、を備えている。
【００２０】
衛星信号受信部１１０は、ＧＮＳＳ（全地球航行衛星システム：Global Navigation Satellite System）を構成する衛星から、車両Ａの位置情報（緯度、経度）を検出可能な衛星信号を受信する。衛星信号には、現在の日時を検出可能な信号が含まれていてもよい。
【００２１】
無線通信部１２０は、インターネット等のネットワークＮＷを介して情報の送受信を行う。
【００２２】
ＣＰＵ１３０は、車両位置判定部１３１と、画像取得部１３２と、周辺情報取得部１３３と、走行道路判定部１３４と、走行地点情報送信部１３５と、を有している。
【００２３】
車両位置判定部１３１は、衛星信号を受信する度に、受信した信号に基づいて、車両Ａの位置情報（緯度、経度）を取得して、車両Ａがイベントポイントを含む検出範囲に位置しているか否かを判定する。
検出範囲とは、イベントポイントの周囲の道路を含む所定の領域（例えば、イベントポイントから半径５０ｍの領域）である。
衛星信号に基づいて取得した位置情報には、誤差が含まれる。このため、車両位置判定部１３１が衛星信号に基づいて車両Ａの位置情報を取得した場合、車両Ａが実際に走行している道路（例えば図１の道路Ｓ１）ではなく、隣接する道路（例えば図１の道路Ｓ２）を示す位置情報を取得する可能性がある。このような誤差による誤判定を防ぐため、本実施形態では、検出範囲にイベントポイントの周囲の道路が含まれるように、イベントポイントに対して広い領域を有する検出範囲を設定している。
具体的には、例えば、図１に示すように、イベントポイントが、道路Ｓ１と道路Ｓ２とに分岐する地点に設定されている場合、分岐の前後の道路Ｓ１及び道路Ｓ２を含む所定の領域が検出範囲Ｒ１として設定される。また、イベントポイントは、道路Ｓ１上のトンネルに進入する前の地点、及び、トンネルから退出する地点等に設定されていてもよい。なお、検出範囲は、イベントポイントの周辺の環境（道路形状、衛星信号を遮蔽する建造物の有無等）に応じて、イベントポイント別に異なる範囲を設定するようにしてもよい。
また、本実施形態では、検出範囲記憶部１５０には、検出範囲が設定された領域（緯度、経度の範囲）と、検出範囲を特定可能な情報（検出範囲ＩＤ）とが関連付けられた検出範囲情報が予め記憶されている。
【００２４】
図３は、本発明の一実施形態に係る走行道路画像の例を示す図である。
画像取得部１３２は、車両位置判定部１３１により車両Ａが何れかの検出範囲に位置していると判定された場合、車両Ａに搭載されたカメラ１１によって撮影された走行道路画像Ｄ１（図３）を取得する。
カメラ１１は、車両Ａ周辺の所定の撮影範囲を撮影するカメラである。例えば、カメラ１１は、車両Ａの前面（進行方向を向く面）に取り付けられている。そして、カメラ１１は、図３に示すように、車両Ａの前方の風景を撮影して、走行道路画像Ｄ１として出力する。
なお、本実施形態では、画像取得部１３２は、車両位置判定部１３１により車両Ａがイベントポイントを含む検出範囲に位置していると判定される度に、カメラ１１に撮影を行う指令を出力して、走行道路画像Ｄ１を取得する。
【００２５】
周辺情報取得部１３３は、車両位置判定部１３１が車両Ａが位置すると判定した検出範囲の周辺環境に関する情報（周辺情報）を取得する。
周辺情報とは、例えば現在の日時、現在の天候等である。周辺情報取得部１３３は、衛星信号に含まれる時刻情報、又は、無線通信部１２０からネットワークＮＷを介して取得した時刻情報に基づいて、現在の日時を取得する。また、周辺情報取得部１３３は、無線通信部１２０を介して、ネットワークＮＷに接続された不図示の天候情報提供サーバから、現在の日時及び検出範囲における天候情報を取得する。
【００２６】
走行道路判定部１３４は、車両Ａが走行している走行道路を判定して、当該走行道路を特定可能な走行地点情報として走行地点情報送信部１３５へ出力する。
上述のように、車両位置判定部１３１が衛星信号に基づいて車両Ａの位置情報を取得した場合、実際に車両Ａが走行中の道路とは異なる道路を示す位置情報を取得してしまう可能性がある。このため、走行道路判定部１３４は、走行道路を判定する処理として、車両位置判定部１３１が取得した車両Ａの位置情報を、参照画像記憶部１４０に予め記憶されている参照画像と、画像取得部１３２が取得した走行道路画像Ｄ１とに基づいて、正しい位置情報（走行道路）を示す走行地点情報（緯度、経度）に補正する処理を行う。
参照画像とは、検出範囲に含まれる道路から撮影された画像であり、検索範囲別に複数の参照画像が参照画像記憶部１４０に記憶されている。参照画像は、検出範囲を特定可能な情報（検出範囲ＩＤ）及び撮影を行った位置情報（緯度、経度、撮影を行った方向等の情報）と関連付けられている。本実施形態では、検出範囲に含まれる道路上の複数の位置から、複数の角度で撮影した画像が、参照画像として参照画像記憶部１４０に記憶されている。例えば、図１に示すように、道路Ｓ１と道路Ｓ２とが並走している検出範囲Ｒ１に関連付けられた参照画像として、道路Ｓ１の複数の位置及び角度から撮影された複数の参照画像と、道路Ｓ２の複数の位置及び角度から撮影された複数の参照画像とが、参照画像記憶部１４０に記憶されている。また、参照画像記憶部１４０には、更に季節、時間帯、天候別に撮影された複数の参照画像が記憶されている。
【００２７】
走行地点情報送信部１３５は、走行道路判定部１３４が判定した車両Ａの走行道路を特定可能な走行地点情報を、無線通信部１２０を介して不図示のサーバへ送信する。
【００２８】
（路側装置の機能構成）
以下、図２を参照して本実施形態に係る路側装置の機能構成について説明する。
図２に示すように、路側装置２０は、照明装置２１０と、マーク２２０と、を備えている。
【００２９】
照明装置２１０は、夜間、雨天等の照度が低い環境下において、車両Ａに搭載されたカメラ１１が鮮明な走行道路画像を撮影できるように、検出範囲に向かって光を照射する。
【００３０】
マーク２２０は、検出範囲においてカメラ１１が撮影する撮影範囲に含まれる（走行道路画像に含まれる）位置に設けられる。マーク２２０は、道路標識とは異なる目印であり、走行道路を特定可能な特徴として設置される。
また、積雪等によりマーク２２０が見えなくなることを防止するため、マーク２２０は、天候による影響を受けにくい位置に設けられている。例えば、マーク２２０は、図１に示すように道路を跨いで設置されたガントリ上に取り付けられていてもよいし、有料道路等の側壁に取り付けられていてもよい。
なお、マーク２２０は、全ての検出範囲に設けられていてもよいし、検出範囲に走行道路を特定可能な目印（建物等）がある場合は、マーク２２０を省略してもよい。
【００３１】
（車載器の処理フロー）
図４は、本発明の一実施形態に係る車載器の処理フローを示す図である。
以下、図３を参照して本実施形態に係る車載器１０の処理フローについて説明する。
まず、車載器１０の車両位置判定部１３１は衛星信号受信部１１０が受信した衛星信号を受信する（ステップＳ１０１）。
【００３２】
次に、車両位置判定部１３１は、衛星信号を受信すると、受信した信号に基づいて車両Ａの位置情報（緯度、経度）を取得するとともに、車両Ａが検出範囲に位置しているか否かを判定する（ステップＳ１０２）。
車両位置判定部１３１は、車両Ａの位置情報と、検出範囲記憶部１５０に記憶されている検出範囲情報とに基づいて、車両Ａがどの検出範囲に位置しているか、又は、車両Ａが何れの検出範囲にも位置していないかを判定する。
車両位置判定部１３１は、車両Ａの位置情報が、例えば図１に示す検出範囲Ｒ１に含まれている場合、車両Ａは検出範囲Ｒ１（図１）に位置していると判定して（ステップＳ１０２：ＹＥＳ）、ステップＳ１０３へ進む。
一方、車両位置判定部１３１は、車両Ａの位置情報が、どの検出範囲にも含まれない場合、車両Ａは検出範囲に位置していないと判定して（ステップＳ１０２：ＮＯ）、ステップＳ１０５へ進む。
【００３３】
次に、画像取得部１３２は、車両位置判定部１３１により、車両Ａが検出範囲Ｒ１（図１）に位置していると判定された場合（ステップＳ１０２：ＹＥＳ）、カメラ１１に撮影を行う指令を出力して、走行道路画像Ｄ１を取得する（ステップＳ１０３）。
【００３４】
次に、周辺情報取得部１３３は、検出範囲の周辺環境に関する周辺情報を取得する（ステップＳ１０４）。
【００３５】
次に、走行道路判定部１３４は、車両位置判定部１３１により、車両Ａが検出範囲Ｒ１（図１）に位置していると判定された場合（ステップＳ１０２：ＹＥＳ）、画像取得部１３２が取得した走行道路画像Ｄ１と、参照画像記憶部１４０に記憶されている参照画像とに基づいて、車両Ａが走行している走行道路を判定する（ステップＳ１０５）。
走行道路判定部１３４は、まず、参照画像記憶部１４０に記憶されている複数の参照画像のうち、車両位置判定部１３１により車両Ａが位置すると判定された検出範囲（検出範囲ＩＤ）、及び、周辺情報取得部１３３が取得した周辺情報（現在の日時及び天候情報）に関連付けられた参照画像を抽出する。
そして、走行道路判定部１３４は、抽出した参照画像のうち、画像取得部１３２が取得した走行道路画像Ｄ１と同一の地点から撮影したと推測される参照画像を選択する。このとき、走行道路判定部１３４は、既知の画像処理技術を使用して、走行道路画像Ｄ１と同一の地点を撮影したと推測される参照画像を選択する。
走行道路判定部１３４は、このように選択した参照画像と関連付けられた位置情報に基づいて、車両Ａの走行道路を示す位置情報を、正しい位置情報を示す走行地点情報に補正する。このとき、走行道路判定部１３４は、参照画像の位置情報（撮影を行った方向）に基づいて、車両Ａの進行方向を判定し、走行地点情報に車両Ａの進行方向を含むようにしてもよい。そして、走行道路判定部１３４は、補正した走行地点情報を走行地点情報送信部１３５へ出力する。
一方、走行道路判定部１３４は、車両位置判定部１３１により、車両Ａが検出範囲に位置していないと判定された場合（ステップＳ１０２：ＮＯ）、車両位置判定部１３１が取得した車両Ａの位置情報を車両Ａの走行道路を示す走行地点情報として、走行地点情報送信部１３５へ出力する。
【００３６】
次に、走行地点情報送信部１３５は、走行道路判定部１３４から取得した走行地点情報を、無線通信部１２０を介して不図示のサーバへ送信する（ステップＳ１０６）。
車載器１０の各部は、車両位置判定部１３１が衛星信号を受信する度に、上述の処理を繰り返し実行する。
【００３７】
（車載器のハードウェア構成）
図５は、本発明の一実施形態に係る車載器のハードウェア構成を示す図である。
以下、図５を参照して、本実施形態に係る車載器１０のハードウェア構成について説明する。
【００３８】
コンピュータ９００は、ＣＰＵ９０１、主記憶装置９０２、補助記憶装置９０３、入出力インタフェース９０４、通信インタフェース９０５を備える。
上述の車載器１０は、コンピュータ９００に実装される。そして、上述した車載器１０の各部の動作は、プログラムの形式でそれぞれのコンピュータ９００が有する補助記憶装置９０３に記憶されている。ＣＰＵ９０１（ＣＰＵ１３０）は、プログラムを補助記憶装置９０３から読み出して主記憶装置９０２に展開し、当該プログラムに従って上記処理を実行する。また、ＣＰＵ９０１は、プログラムに従って、画像取得部１３２が取得した走行道路画像Ｄ１、周辺情報取得部１３３が取得した周辺情報等を記憶する記憶領域（不図示）と、参照画像記憶部１４０と、検出範囲記憶部１５０と、を主記憶装置９０２に確保する。また、ＣＰＵ９０１は、プログラムに従って、処理中のデータを記憶する記憶領域を補助記憶装置９０３に確保する。
なお、コンピュータ９００は、入出力インタフェース９０４を介して、外部記憶装置９１０と接続されており、参照画像記憶部１４０及び検出範囲記憶部１５０は、外部記憶装置９１０に確保されてもよい。また、コンピュータ９００は、通信インタフェース９０５を介して、外部記憶装置９２０と接続されており、上記参照画像記憶部１４０及び検出範囲記憶部１５０は、外部記憶装置９２０に確保されてもよい。
【００３９】
なお、少なくとも一つの実施形態において、補助記憶装置９０３は、一時的でない有形の媒体の一例である。一時的でない有形の媒体の他の例としては、入出力インタフェース９０４を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ９００に配信される場合、配信を受けたコンピュータ９００が当該プログラムを主記憶装置９０２に展開し、上記処理を実行しても良い。
【００４０】
また、当該プログラムは、前述した機能の一部を実現するためのものであっても良い。さらに、当該プログラムは、前述した機能を補助記憶装置９０３に既に記憶されている他のプログラムとの組み合わせで実現するもの、いわゆる差分ファイル（差分プログラム）であっても良い。
【００４１】
（作用効果）
以上のように、本実施形態に係る車載器１０は、外部から受信した信号（衛星信号）に基づいて、走行する車両Ａが所定のイベントポイントを含む検出範囲に位置しているか否かを判定する車両位置判定部１３１と、車両Ａが検出範囲に位置していると判定された場合、車両Ａに搭載されたカメラ１１によって撮影された走行道路画像Ｄ１を取得する画像取得部１３２と、検出範囲に含まれる道路から撮影された参照画像と、走行道路画像Ｄ１とに基づいて、車両Ａが走行している道路を判定する走行道路判定部１３４と、を備える。
このようにすることで、車載器１０は、分岐、複数の道路が隣接している地点等にイベントポイントを設定することにより、車両Ａが当該イベントポイントを含む検出範囲において、どの道路を走行しているかを、走行道路画像Ｄ１と参照画像とに基づいて判定することができる。また、走行道路判定部１３４は、検出範囲においてのみ走行道路画像Ｄ１と参照画像とに基づく判定を行うため、走行道路を判定する処理に要する負荷を低減することができる。この結果、車載器１０が走行道路を判定する処理を高速化することができる。
【００４２】
また、車載器１０は、検出範囲別に複数の参照画像を記憶する参照画像記憶部１４０を更に備える。走行道路判定部１３４は、検出範囲の周辺環境に応じて、複数の参照画像のうち少なくとも一つの参照画像を抽出し、抽出した参照画像と、走行道路画像Ｄ１とに基づいて、車両Ａが走行している道路を判定する。
このようにすることで、走行道路判定部１３４は、例えば日時、天候等の周辺環境に応じて検出範囲内における道路から見える風景が変化する場合であっても、複数の参照画像のうち、周辺環境に近い環境下で撮影された参照画像に基づいて、走行道路を判定することができる。これにより、走行道路判定部１３４が走行道路を判定する処理の精度を向上させることができる。
【００４３】
また、車載器１０は、衛星からの信号を受信する衛星信号受信部１１０を更に備える。車両位置判定部１３１は、衛星からの衛星信号に基づいて、車両Ａが検出範囲に位置しているか否かを判定する。
このようにすることで、車両位置判定部１３１は、周期的に取得する衛星信号に基づいて、車両Ａが検出範囲に位置しているか否かを常に高い精度で判定することができる。
【００４４】
また、本実施形態に係る走行道路判定システム１は、外部から受信した信号に基づいて、走行する車両Ａが所定のイベントポイントを含む検出範囲に位置しているか否かを判定する車両位置判定部１３１と、車両Ａが検出範囲に位置していると判定された場合、車両Ａに搭載されたカメラ１１によって撮影された走行道路画像Ｄ１を取得する画像取得部１３２と、検出範囲に含まれる道路から撮影された参照画像と、走行道路画像Ｄ１とに基づいて、車両Ａが走行している道路を判定する走行道路判定部１３４と、を備える。
また、走行道路判定システム１は、カメラ１１によって撮影される走行道路画像Ｄ１の撮影領域に収まるように設けられたマーク２２０を更に備える。
このようにすることで、走行道路画像Ｄ１に目印となるマーク２２０が含まれるので、走行道路判定部１３４により車両Ａがどの道路を走行しているか判定する精度を向上させることができる。
【００４５】
なお、上述の実施形態に係る走行道路判定システム１は、一般道路において罰金、通行料金等の徴収のために用いられてもよい。
例えば、一般道路には、一方通行、Ｕターン禁止、特定車種（大型車、普通車等の車両の区分）による走行が制限されている等、車両の走行に関する規制が定められた区域が多数ある。このような区域において一方通行違反等の取締及び罰金の徴収を行う場合、当該区域に監視員、車載器と無線通信可能な通信機器等を配置することが考えられる。しかしながら、監視員、通信機器等の配置にはコストがかかるため、多数の区域のそれぞれに配置するのは現実的ではない。
しかしながら、走行道路判定システム１を適用して多数の区域のそれぞれを検出範囲として設定することにより、車載器１０は、検出範囲内において車両Ａがどの道路をどのような方向に向かって走行したかを判定して、走行地点情報として出力することができる。そして、例えば、複数の区域を管轄する事務所にサーバを設置して、当該サーバが各車載器１０から走行地点情報を収集するようにしてもよい。サーバは、車両Ａの走行地点情報に基づいて、車両Ａが一方通行の区域を逆行する方向に走行していること、Ｕターンが禁止されている検出範囲においてＵターンを行ったことを検出するようにしてもよい。
また、サーバは、車両Ａの走行地点情報に基づいて、特定の車種（例えば大型車）が走行を禁止されている道路を車両Ａ（大型車）が走行したことを検出するようにしてもよい。この場合、車載器１０は、走行地点情報とともに、車両Ａの車種を特定可能な情報をサーバへ出力する。
サーバは、車両Ａが一方通行等の規制に違反していることを検出すると、当該検出結果に基づいて、車両Ａに対する罰金の徴収をするための処理を実行するようにしてもよい。例えば、違反が検出された車両Ａに対して罰金を課金する処理を行うようにしてもよいし、事務所に駐在する監視員に違反を検出したことを通知するようにしてもよい。これにより、一方通行等の取締及び罰金の徴収を低コストで実施することが可能である。
更に、車両による騒音が住民の迷惑となるような住宅地において、当該住宅地内に設けられた道路を検出範囲に設定してもよい。この場合、サーバは、車両Ａの走行地点情報に基づいて、車両Ａが住宅地内の道路を走行したことを検出した場合、当該車両Ａから通行料金を徴収する処理を行う。このように、特定の道路を走行した車両Ａから通行料金を徴収することにより、当該道路における車両の交通量を制限することが可能となる。
【００４６】
また、有料道路には、本線、サービスエリア、パーキングエリア、バスストップ等から有料道路への乗降が可能なスマートインターチェンジ（ＩＣ）が設けられている場合がある。従来のスマートＩＣには、車載器と、路側装置との間で無線通信を行うことにより、車両の通行料金を収受する電子式料金収受システム（ＥＴＣ：Electronic Toll Collection System（登録商標）、「自動料金収受システム」ともいう）が設けられている。
このようなスマートＩＣを検出範囲として設定することにより、車載器１０の走行道路判定部１３４は、走行道路画像Ｄ１と参照画像とに基づいて、どのスマートＩＣを経由して有料道路への乗降を行ったかを判定することができる。これにより、サーバは、車載器１０から収集した走行地点情報に基づいて車両Ａが走行した有料道路を特定して、当該有料道路の通行料金を車両Ａから徴収することができる。
これにより、スマートＩＣに高価なＥＴＣ用路側装置を設置することなく、車両ＡがスマートＩＣを経由して有料道路への乗降を行ったことが検出できるので、設備の設置に係るコスト、メンテナンスに係るコストを削減することが可能である。
【００４７】
また、有料道路には、複数の区間に渡ってガソリンスタンドが設けられていない場合がある。このような区間を走行中にガソリンが不足する可能性があり、この場合、車両は一旦有料道路から退出して、一般道路に設けられたガソリンスタンドに立ち寄り、再び有料道路に進入することが考えられる。一般的に、通行料金には、有料道路に進入する度に初乗り料金が上乗せされる。このため、ガソリンスタンドに立ち寄るために有料道路を一時退出すると、有料道路を一時退出せずに継続して走行するよりも通行料金が高くなることがある。
このような有料道路において、ガソリンスタンドに立ち寄ったか否かを検出するために、当該ガソリンスタンドを検出範囲として設定してもよい。このとき、有料道路の料金所事務所に設けられた監視システム（不図示）は、車載器１０からガソリンスタンドに立ち寄ったことを示す走行地点情報を取得する。そして、監視システムは、当該ガソリンスタンドに立ち寄った車両Ａが再度有料道路に進入した場合、当該車両Ａに対する通行料金を割り引く（初乗り料金を減じる）処理を行うようにしてもよい。
これにより、有料道路を一時退出した車両に対する割引処理を行うシステムを、低コストで構築することができる。
【００４８】
以上、本発明の実施形態について詳細に説明したが、本発明の技術的思想を逸脱しない限り、これらに限定されることはなく、多少の設計変更等も可能である。
例えば、上述の実施形態において、走行道路判定部１３４は、車両Ａが走行している道路を特定可能な走行地点情報として、走行道路画像Ｄ１及び参照画像に基づいて補正された緯度及び経度を出力する態様について説明したが、これに限られることはない。他の実施形態では、走行道路判定部１３４は、補正後の緯度及び経度に基づいて、走行道路を特定可能な道路名、道路ＩＤ等の情報を特定し、これらの情報を走行地点情報として出力するようにしてもよい。
【００４９】
また、上述の実施形態において、車載器１０が走行道路判定部１３４を有している態様について説明したが、これに限られることはない。例えば、車載器１０とネットワークＮＷを介して接続可能なサーバ（不図示）が、走行道路判定部１３４を有していてもよい。この場合、車載器１０は、車両位置判定部１３１が取得した車両Ａの位置情報（補正前の緯度及び経度）と、画像取得部１３２が取得した走行道路画像Ｄ１とを無線通信部１２０を介してサーバへ送信する。そして、サーバの走行道路判定部１３４が、参照画像と走行道路画像Ｄ１とに基づいて、車両Ａの位置情報を補正し、車両Ａが走行している道路を判定するようにしてもよい。
このような態様によっても、上述の実施形態と同様の効果を得ることが可能である。
【符号の説明】
【００５０】
１  走行道路判定システム
１０  車載器
１１  カメラ
１１０  衛星信号受信部
１２０  無線通信部
１３０  ＣＰＵ
１３１  車両位置判定部
１３２  画像取得部
１３３  周辺情報取得部
１３４  走行道路判定部
１３５  走行地点情報送信部
１４０  参照画像記憶部
１５０  検出範囲記憶部
２０  路側装置
２１０  照明装置
２２０  マーク
【図１】
2018100893.tif 000003
【図２】
2018100893.tif 000004
【図３】
2018100893.tif 000005
【図４】
2018100893.tif 000006
【図５】
2018100893.tif 000007